(57)【特許請求の範囲】
【請求項１】
壁面に貼り付けて前記壁面の汚れを防止するための壁面保護シートであって、
合成樹脂よりなる矩形シート状のシート体と、
前記シート体の一辺を除き少なくとも隣接する二辺に沿うように前記シート体の一方面に接着され、前記壁面に対して接着、剥離自在の所定幅の第１の粘着テープと、
前記シート体の前記一方面に対して接着可能であって、前記壁面に対して接着、剥離自在の所定幅の第２の粘着テープとを備えた、壁面保護シート。
【請求項２】
前記第１の粘着テープは、前記シート体の三辺に沿うように取付けられる、請求項１記載の壁面保護シート。
【請求項３】
前記第１の粘着テープ及び前記第２の粘着テープにおける前記シート体との接着力は、前記壁面との接着力より大きい、請求項１又は請求項２記載の壁面保護シート。
【請求項４】
前記第１の粘着テープは、前記シート体の対応する辺から内方へ少なくとも２ｍｍの位置にその外方部分が位置するように接着される、請求項１から請求項３のいずれかに記載の壁面保護シート。
【請求項５】
前記シート体は５０〜２５０μｍの厚さを有するポリエチレンテレフタレートよりなり、その他方面にはコート層が形成される、請求項１から請求項４のいずれかに記載の壁面保護シート。
【請求項６】
矩形シート状のシート体をその全周部分で壁面に貼り付ける壁面保護シート取付け方法であって、
離型紙が取付けられた第１の粘着テープが前記シート体の三辺に沿ってその一方面に接着された前記シート体と、両面に離型紙が取付けられた別体粘着テープとを準備する工程と、
前記シート体の前記第１の粘着テープが取付けられていない辺に平行に且つ所望の内方位置に、前記別体粘着テープの一方の離型紙を取除き第２の粘着テープとして接着する工程と、
前記第２の粘着テープの外方の、前記シート体の部分とこの部分に接着されている前記第１の粘着テープの部分とを除去する工程とを備え、
前記第１の粘着テープ及び前記第２の粘着テープのうち、前記シート体のいずれか一辺に対応する特定粘着テープの離型紙を取除く工程と、
前記特定粘着テープ以外の三辺粘着テープの離型紙を一部剥がし、前記シート体の外方に位置するように折り曲げる工程と、
前記特定粘着テープを介して前記シート体を所望の壁面位置に貼り付ける工程と、
前記三辺粘着テープの離型紙を前記シート体の外方に位置する部分を用いて取除き、前記三辺粘着テープを介して前記シート体を前記壁面に貼り付ける工程とを備えた、壁面保護シートの取付け方法。
【発明の詳細な説明】
【０００１】
【発明の属する技術分野】
この発明は壁面保護シート及び壁面保護シートの取付け方法に関し、特に家庭台所周辺のタイル壁面やステンレス壁面に取付けて使用する壁面保護シート及び壁面保護シートの取付け方法に関するものである。
【０００２】
【従来の技術】
従来から家庭台所周辺のタイルやステンレス壁面の油汚れや調理くずなどの汚れを防止する壁面保護シートが提案されている。この壁面保護シートは、合成樹脂等からなり、その厚さは一般的に薄いものが使用されている。そして、その裏面には粘着加工が全面に施されているものが多い。
【０００３】
このような壁面保護シートを壁面に貼るには、離型紙をゆっくりと剥がしながら粘着面を壁面に貼り、ヘラや指でこすりながら貼り付けるものである。この貼り付けを容易にするために霧吹きや濡れたスポンジ等で壁面を濡らし、壁面保護シートの粘着面が壁面に容易に接着しないようにして離型紙を剥がしながら貼っていくものである。このとき壁面と保護シートとの間には水や気泡が入っており、ヘラ等を用いてシートから押し出す必要があるが、粘着加工が全面に施されているとこの作業に時間と労力等を要するばかりか、気泡や皺を完全に除去できず見栄えが悪くなる。
【０００４】
そこで、粘着加工を全面に施す代わりに筋状に粘着加工した壁面保護シートが提案されている。
【０００５】
図７はこのような筋状に粘着加工された壁面保護シートの外観形状を示した図である。
【０００６】
図を参照して、壁面保護シート６１は合成樹脂よりなる矩形状のシート体６３を主体として構成されており、その裏面には所定間隔で筋状に粘着剤６５が形成されている。尚、使用前には粘着剤６５には離型紙が貼り付けられており、使用時にはこの離型紙を剥がすことによって粘着剤６５を壁面に接着させるものである。
【０００７】
このように筋状に粘着加工されているシート体６３に気泡などが入った場合には、ヘラ等でこすると粘着剤６５同志の間の粘着加工がされていない部分から気泡が抜けることが容易となる。
【０００８】
【発明が解決しようとする課題】
上記のような従来の壁面保護シートでは薄い厚さのシートが使われているためシートを持って壁面に対して位置決めをしようとすると、離型紙を剥がした状態の粘着面同士がくっついたり、壁面に不用意にくっついたりするため容易に取付けることができない。このためシートに皺が入ってしまったりして見栄えが悪くなってしまう。
【０００９】
尚、図７に示したような筋状に粘着加工がされている壁面保護シートにあっては気泡を抜くことが容易であっても、壁面に貼り付け後筋状の粘着材によってシート体６３表面に筋状の凹凸模様が発生してしまい、やはり見栄えが悪くなってしまう。
【００１０】
又、一度貼ってしまった保護シートを剥がす場合、シート端部が密着して壁面に接着されているため、その端面を剥がすにはシートの端部を爪や鋭利なもので剥がし起こす必要があり労力を要する。そして、何度もシートを貼り直すことでシートに皺や傷等が入ってしまい、場合によってはシートが使用不可能になることもある。
【００１１】
この発明は上記のような課題を解決するためになされたもので、壁面への貼り付け、剥がしが容易にでき且つ見栄えの良い壁面保護シート及び壁面保護シートの取付け方法を提供することを目的とする。
【００１２】
【課題を解決するための手段】
上記の目的を達成するために、請求項１記載の発明は、壁面に貼り付けて壁面の汚れを防止するための壁面保護シートであって、合成樹脂よりなる矩形シート状のシート体と、シート体の一辺を除き少なくとも隣接する二辺に沿うようにシート体の一方面に接着され、壁面に対して接着、剥離自在の所定幅の第１の粘着テープと、シート体の一方面に対して接着可能であって、壁面に対して接着、剥離自在の所定幅の第２の粘着テープとを備えたものである。
【００１３】
このように構成すると、シート体の少なくとも一辺には又は隣接する二辺に第１の粘着テープが接着されていない。
【００１６】
請求項２記載の発明は、請求項１記載の発明の構成において、第１の粘着テープはシート体の三辺に沿うように取付けられるものである。
【００１７】
このように構成すると、シート体の一辺のみに第１の粘着テープが接着されていない。
【００１８】
請求項３記載の発明は、請求項１又は請求項２記載の発明の構成において、第１の粘着テープ及び第２の粘着テープにおけるシート体との接着力は、壁面との接着力より大きいものである。
【００１９】
このように構成すると、シート体を壁面から剥がしたとき第１の粘着テープ及び第２の粘着テープのいずれも壁面に残らない。
【００２０】
請求項４記載の発明は、請求項１から請求項３のいずれかに記載の発明の構成において、第１の粘着テープはシート体の対応する辺から内方へ少なくとも２ｍｍの位置にその外方部分が位置するように接着されるものである。
【００２１】
このように構成すると、第１の粘着テープの外側のシート体の部分は壁面に接着されない。
【００２２】
請求項５記載の発明は、請求項１から請求項４のいずれかに記載の発明の構成において、シート体は５０〜２５０μｍの厚さを有するポリエチレンテレフタレートよりなり、その他方面にはコート層が形成されるものである。
【００２３】
このように構成すると、シート体自身にある程度の剛性が生じ、且つシート体の他方面の滑り性や剥離性が向上する。
【００２４】
請求項６記載の発明は、矩形シート状のシート体をその全周部分で壁面に貼り付ける壁面保護シートの取付け方法であって、離型紙が取付けられた第１の粘着テープがシート体の三辺に沿ってその一方面に接着されたシート体と、両面に離型紙が取付けられた別体粘着テープ等を準備する工程と、シート体の第１の粘着テープが取り付けられていない辺に平行に且つ所望の内方位置に、別対粘着テープの一方の離型紙を取除き第２の粘着テープとして接着する工程と、第２の粘着テープの外方のシート体の部分とこの部分に接着されている第１の粘着テープの部分とを除去する工程と、第１の粘着テープ及び第２の粘着テープのうちシート体のいずれか一辺に対応する特定粘着テープの離型紙を取除く工程と、特定粘着テープ以外の三辺粘着テープの離型紙を一部剥がし、シート体の外方に位置するように折り曲げる工程と、特定粘着テープを介してシート体を所望の壁面位置に貼り付ける工程と、三辺粘着テープの離型紙をシート体の外方に位置する部分を用いて取除き、三辺粘着テープを介してシート体を壁面に貼り付ける工程とを備えたものである。
【００２５】
このように構成すると、第２の粘着テープがシート体を所望の大きさにするための基準となる。又、特定粘着テープのみでシート体の位置決めをすることができる。
【００２８】
【発明の効果】
以上説明したように、請求項１記載の発明は、シート体の少なくとも一辺には第１の粘着テープが接着されていないので、第１の粘着テープが接着されていない辺の少なくとも１辺の部分を除去してシート体を所望の寸法にした場合、粘着テープがあまり無駄にならない。又、除去された部分の辺に第２の粘着テープを取付ければ、所望の大きさとなったシート体全周で壁面にシート体を貼り付けることができ、安定した貼りつけ状態が確保できる。
【００３０】
請求項２記載の発明は、請求項１記載の発明の効果に加えて、シート体の一辺のみに第１の粘着テープが接着されていないので、シート体の大きさの調整が容易となり使い勝手が向上する。
【００３１】
請求項３記載の発明は、請求項１又は請求項２記載の発明の効果に加えて、シート体を剥がしたとき粘着テープが壁面に残らないので、使用後の壁面の美麗さを保持することができる。
【００３２】
請求項４記載の発明は、請求項１から請求項３のいずれかに記載の発明の効果に加えて、第１の粘着テープの外側のシート体の部分は壁面に接着されないので、シート体を壁面から剥がすとき容易にシート体の端部を掴むことが可能となり剥がし勝手が良い。
【００３３】
請求項５記載の発明は、請求項１から請求項４のいずれかに記載の発明の効果に加えて、シート体にある程度の剛性が生じるため取扱いが容易となり、又コート層によってシート体が汚れにくくなり且つその汚れを除去しやすくなる。
【００３４】
請求項６記載の発明は、第２の粘着テープがシート体を所望の大きさにするための基準となるため、効率的にシート体の大きさを調整することができる。又、特定粘着テープのみでシート体の位置決めができるため、安定してシート体を所望の位置に貼り付けつつ、三辺粘着テープの離型紙も容易に剥がすことが可能となる。その結果、シート体は所望の位置に全周粘着テープで貼り付けることができ、安定した状態で壁面の汚れを防止することが可能となる。
【００３６】
【発明の実施の形態】
図１はこの発明の第１の実施の形態による壁面保護シートの一部の正面図であり、図２はその背面図であり、図３は図２のＩＩＩ−ＩＩＩラインの断面図である。
【００３７】
これらの図を参照して、壁面保護シート１１は横方向が７５０ｍｍ、縦方向が９００ｍｍの長さを有する矩形シート状のシート体１３を主体として構成されており、その左辺、上辺及び右辺にはシート体１３の裏面に第１の粘着テープ１４ａ、第１の粘着テープ１４ｂ及び第１の粘着テープ１４ｃが接着されている。シート体１３は透明性を有するポリエチレンテレフタレート（ＰＥＴ）によって構成されているが、用途に応じて不透明なものとしたり、あるいは例えば大理石模様等を印刷したりして形成したものでもよい。
【００３８】
尚、シート体１３の下辺には粘着テープが接着されていないが、これについては後述する。
【００３９】
図３の断面図に示されているように、シート体１３は、厚さ１２５μｍの透明ＰＥＴよりなる合成樹脂シート２１と、合成樹脂シート２１の一方面の全面に形成されたシリコンを主体としてフッ素が添加されたコート層２２とから構成されている。コート層２２としては、その他にフッ素系、アクリル系のコートを使用しても良い。尚、合成樹脂シート２１の厚さは５０〜２５０μｍであればある程度の剛性を発揮するためその取扱が容易となり好ましいものである。又、合成樹脂シート２１の使用面である面にはコート層２２が形成されているため、その表面の滑り性が高まり汚れがつきにくく、又ついた汚れも除去しやすくなる効果を奏するものである。
【００４０】
シート体１３を構成する合成樹脂シート２１の他方面には壁面保護シート１１が取付けられているが、その取付け位置はシート体１３の外方端部から寸法Ａの位置となっている。このＡ寸法はこの実施の形態においては２ｍｍとしている。
又、第１の粘着テープ１４の幅Ｂは１５ｍｍとなっているが、この幅はシート体１３の大きさに応じて適宜選択すればよい。
【００４１】
第１の粘着テープ１４は、厚さ２５μｍの透明のＰＥＴ又はポリエチレン（ＰＥ）よりなる芯材２６を中心として構成されている。尚、芯材２６は１０〜２５０μｍの厚さの範囲が好ましいものである。芯材２６のシート体１３側の面には１０〜５０μｍの厚さでアクリル系の第１の粘着剤２５が塗布されており、芯材２６の反体面には厚さ２５〜１０００μｍのウレタン系の第２の粘着剤２７が塗布され、更にその上に厚さ１００μｍのポリエチレンよりなる離型紙２８が取付けられている。
【００４２】
第１の粘着剤２５の接着力は第２の粘着剤２７の接着力より大きく設定されており、これによって後述するように壁面保護シート１１の壁面への接着及び剥離を容易としている。又、第２の粘着剤２７は壁面に貼って剥がせる弱粘着タイプの粘着剤であり、その粘着面が汚れた場合であっても表面を水で洗うことで再び粘着力が回復する粘着剤となっている。尚、第１の粘着剤２５及び第２の粘着剤２７も透明性を有する粘着剤を採用しているため、合成樹脂シート２１及びコート層２２が透明体である場合、壁面に貼りつけた場合第１の粘着テープ１４の接着部分を目立たないものとしている。
【００４３】
図４は図１で示した壁面保護シート１１を壁面に貼り付けた場合の断面構成を示した図であって、図３の断面図に対応したものである。
【００４４】
図を参照して、壁面保護シート１１を壁面３１に貼り付ける際には、第１の粘着テープ１４の離型紙２８を取除いた状態で第２の粘着剤２７を壁面３１に押付けるようにして接着する。これによってシート体１３は第１の粘着剤２５、芯材２６及び第２の粘着剤２７を介して壁面３１に接着されることになる。上述のように第１の粘着剤２５、芯材２６及び第２の粘着剤２７は透明性を有するものとしているため、シート体１３が透明体である場合であっても接着部分が目立たないものとなっている。
【００４５】
シート体１３を壁面３１から剥がす際にはシート体１３の端部を掴んでこれを持ち上げることによって行なうが、図３に示したように第１の粘着テープ１４はシート体１３の端部からＡ寸法分だけ内方の位置に取付けられている。すなわち、Ａ寸法の部分においてはシート体１３は壁面３１に接着されていない。従ってその部分のシート体１３を掴むことが容易となり、二点鎖線で示したように持ち上げて剥がすことが容易となり使い勝手が向上する。尚、Ａ寸法はシート体を剥す観点からは上述のように２ｍｍ程度で良い。しかし、シート体を壁面に貼り付ける観点からは、シート体の裏面に手を入れてこれを把持することを考慮してこの寸法を１００ｍｍ程度としておくと使い勝手が良い。
【００４６】
又、第１の粘着剤２５の接着力は第２の粘着剤２７の接着に比べて大きく設定されているため、シート体１３を壁面３１から剥がしたときに第１の粘着剤２５、芯材２６及び第２の粘着剤２７が壁面３１に残存することはなく、これらとともに確実に壁面３１からシート体１３を剥がすことが可能となる。その結果、シート体１３を剥がした後においても壁面３１の表面を汚す虞はない。
【００４７】
図５はこの発明の第１の実施の形態における壁面保護シートにおいて図１で示した壁面保護シート１１とは別体として準備される別対粘着テープの断面形状を示した図である。
【００４８】
図を参照して、第１の粘着剤２５、芯材２６、第２の粘着剤２７及び離型紙２８よりなる第２の粘着テープ１６は、図３で示した第１の粘着テープ１４と同一構成を示すものである。別体粘着テープ１５はこの第２の粘着テープ１６に離型紙３０を第１の粘着剤２５の上に取付けたものとなっており、離型紙３０は離型紙２８と同一構成のものを採用するものである。尚、実際には第１の粘着剤２５と第２の粘着剤２７とは上述のように接着力が異なっているため、離型紙２８及び離型紙３０を識別できるようにそれらの色等を異ならせるように構成されている。
【００４９】
以上のように、この発明の第１の実施の形態による壁面保護シートは、図１から図３で示した壁面保護シート１１と図５で示した別体粘着テープ１５とを組合わせて壁面に貼り付けるものである。
【００５０】
図６はこの発明の第１の実施の形態による壁面保護シートを壁面に取付ける手順を示した図である。
【００５１】
図を参照して、図６の（１）は図１の壁面保護シート１１に対応したものであるが、ここでは第１の粘着テープ１４ａ〜第１の粘着テープ１４ｃの状態をより分かり易くするために離型紙２８が取り付けられている状態をハッチングで示している。
【００５２】
図６の（２）は図６の（１）の状態から壁面保護シート１１を取付けるべき壁面の大きさに応じて調整した状態を示した図である。ここでは、取付けるべき壁面の縦方向の長さが二点鎖線で示すように、図６の（１）の状態より小さい場合を想定している。このとき、この二点鎖線の位置を基準としてその内側に別体粘着テープ１５を取付ける。すなわち、別体粘着テープ１５の離型紙３０を取除いて第２の粘着テープ１６としたものを、その第１の粘着剤２５の面をシート体１３の裏面に押付けるようにして取付ける。
【００５３】
そしてこの取り付けられた第２の粘着テープ１６を基準として、二点鎖線の位置でシート体１３、第１の粘着テープ１４ａ及び第１の粘着テープ１４ｃを切断する。これによって、切断されたシート体１３の四辺すべてに沿ってその裏面に第１の粘着テープ１４ａ、第１の粘着テープ１４ｂ、第１の粘着テープ１４ｃ及び第２の粘着テープ１６が取り付けられた状態となる。尚、第２の粘着テープ１６は第１の粘着テープ１４の構成と同一であるため、この結果シート体１３の全周すべてに同一の粘着テープが取付けられたことになる。
【００５４】
この状態では、シート体１３の４辺に粘着テープが接着されているため、シート体１３の周囲の厚さが増すことになる。このため、シート体１３の剛性と相俟ってシート体１３の扱いが容易となる。したがって、粘着テープの芯材をより厚くすることでより扱い易くなることになる。
【００５５】
次に図６の（３）に示されているように第１の粘着テープ１４ｂの離型紙２８をすべて取除き、第２の粘着剤２７ｂを露出させる。一方、第１の粘着テープ１４ａ、第１の粘着テープ１４ｃ及び第２の粘着テープ１６にあっては、各々の離型紙２８をその端部から一部剥がして外方に折り曲げて、それらがシート体１３から外側に離型紙２８ａ、離型紙２８ｃ及び離型紙２８ｄとして外方に位置するようにする。
【００５６】
これによって第１の粘着テープ１４ａの第２の粘着剤２７の一部が第２の粘着剤２７ａとして露出する。同様に第１の粘着テープ１４ｃの第２の粘着剤２７の一部は第２の粘着剤２７ｃとして、第２の粘着テープ１６の第２の粘着剤２７の一部は第２の粘着剤２７ｄとして各々露出する。
【００５７】
この状態で第２の粘着剤２７ｂを基準としてシート体１３を所望の壁面の位置に取り付ける。この時シート体１３の壁面への接着力は第２の粘着剤２７ｂを主体とするものであるため、取り付け位置がずれたりした場合でも第２の粘着剤２７ｂを壁面から剥がし再度位置決めして接着することが容易となる。
【００５８】
第２の粘着剤２７ｂによってシート体１３が所定の位置に位置決めされて接着されると、第１の粘着テープ１４ａにあっては離型紙２８ａをゆっくりと引出しながら第２の粘着剤２７ａの部分を抑えていくことによって、シート体１３の左辺部分を確実に壁面に接着させることが可能となる。
【００５９】
同様にシート体１３の右辺部分にあっては、離型紙２８ｃを引出しながら第２の粘着剤２７ｃを抑えつけるようにして接着する。そして最後に、シート体１３の下辺部分にあっては、離型紙２８ｄをゆっくりと引出しながら第２の粘着剤２７ｄを抑えていくことによって、その下辺部分を確実に壁面に接着することが可能となる。
【００６０】
この状態を示したのが図６の（４）である。図に示しているように第２の粘着剤２７ｂによって正確に位置決めされて接着が開始されたシート体１３は、その左辺は第２の粘着剤２７ａによって、右辺はその第２の粘着剤２７ｃによって、下辺は第２の粘着剤２７ｄによって、全周確実に壁面に接着されることになる。
この場合仮に第２の粘着剤２７ａ〜第２の粘着剤２７ｄの部分に気泡が入ったとしても、そのテープ幅が狭いため容易に気泡を抜くことが可能となる。
【００６１】
又、これらによって囲われたシート体１３の部分はある程度剛性があるため皺の発生が生じにくく、しかも筋状に接着面等が現れることがないため、壁面に対してより自然な感じでこれを保護することが可能となる。そして、シート体１３は４辺の周囲のみの粘着面積で壁面に接着されているため、全体としての接着力は大きくなく取替えや貼りなおしが容易となる。
【００６２】
尚、上記の実施の形態では、シート体の三辺に粘着テープを前もって接着しているが、隣接している二辺のみに粘着テープを接着しておき、他の二辺については寸法を調整した後に別体粘着テープを第２の粘着テープとして取り付けるようにしても良い。このように構成すれば、シート体の大きさを一方向のみならず、２方向にも調整することが可能となる。
【００６３】
又、上記の実施の形態では、シート体の三辺に粘着テープを前もって接着しているが、対向している二辺にのみに粘着テープを接着しておき、他の二辺のうちの一方を寸法調整した後に別体粘着テープをそれぞれの辺に第２の粘着テープとして取付けるようにしても良い。このように構成すれば、貼り付けるべき壁面の状況に応じて対向辺の第２の粘着テープの取付け位置を調整できるため使い勝手が良い。
【図面の簡単な説明】
【図１】この発明の第１の実施の形態による壁面保護シートの外観形状を示す正面図である。
【図２】図１で示した壁面保護シートの背面図である。
【図３】図２で示したＩＩＩ−ＩＩＩラインの断面図である。
【図４】図１で示した壁面保護シートを壁面に貼り付けた状態を示した断面図であって、図３に対応したものである。
【図５】図１で示した壁面保護シートに対して別体として準備される別体粘着テープの断面形状を示した図である。
【図６】この発明の第１の実施の形態による壁面保護シートの壁面への取り付け手順を示した図である。
【図７】従来の壁面保護シートの外観形状を示す正面図である。
【符号の説明】
１１…壁面保護シート
１３…シート体
１４…第１の粘着テープ
１５…別体粘着テープ
１６…第２の粘着テープ
２１…合成樹脂シート
２２…コート層
２５…第１の粘着剤
２６…芯材
２７…第２の粘着剤
２８…離型紙
３０…離型紙
３１…壁面
尚、各図中同一符号は同一又は相当部分を示す。
【図１】
0004550982.tif 000002
【図２】
0004550982.tif 000003
【図３】
0004550982.tif 000004
【図４】
0004550982.tif 000005
【図５】
0004550982.tif 000006
【図６】
0004550982.tif 000007
【図７】
0004550982.tif 000008